(57)【要約】【課題】モード変更を円滑に行うことができるサムターン装置の提供を目的とする。【解決手段】室内側に露出され、ハウジング１に対して回転操作自在な回転操作体２への操作により扉用錠装置の施解錠操作を行うサムターン装置であって、  回転操作体２と錠装置に連結されるジョイント３との間に介装され、回転操作体２への回転操作力のジョイント３への伝達を断接するクラッチ部４と、  操作時において前記ジョイント３とは独立して駆動され、クラッチ部４を断接状態に移動、保持するモード選択部とを有する。【選択図】  図１
2005314968.tif 000002
【特許請求の範囲】
【請求項１】
室内側に露出され、ハウジングに対して回転操作自在な回転操作体への操作により扉用錠装置の施解錠操作を行うサムターン装置であって、
回転操作体と錠装置に連結されるジョイントとの間に介装され、回転操作体への回転操作力のジョイントへの伝達を断接するクラッチ部と、
操作時において前記ジョイントとは独立して駆動され、クラッチ部を断接状態に移動、保持するモード選択部とを有するサムターン装置。
【請求項２】
前記クラッチ部は、回転操作体の回転軸方向に移動可能で、かつ、移動方向に係合部を備え、ジョイントに対して回転方向に連結されるスライダと、
回転操作体側に設けられ、前記係合部が係脱する被係合部とを有し、
かつ、モード選択部は、ハウジング内に保持され、回転操作により前記スライダを係脱方向に移動させるシリンダ錠により構成される請求項１記載のサムターン装置。
【請求項３】
前記クラッチ部は、回転操作体の回転軸方向に移動可能で、かつ、移動方向に係合部を備え、ジョイントに対して回転方向に連結されるスライダと、
回転操作体側に設けられ、前記係合部が係脱する被係合部とを有し、
かつ、モード選択部は、前記スライダに対して空転自在で、スライド方向に連結されてハウジング内に突出または没入方向に付勢されるノブと、
ノブに設けられたガイド部を受容し、該ノブを回転姿勢に応じた突出、または没入位置に保持するカム部とからなる請求項１記載のサムターン装置。
【請求項４】
前記クラッチ部は、回転操作体の回転軸方向に移動可能で、かつ、移動方向に係合部を備え、ジョイントに対して回転方向に連結されるスライダと、
回転操作体側に設けられ、前記係合部が係脱する被係合部とを有し、
かつ、モード選択部は、スライダを係合方向に付勢する付勢手段と、
前記スライダに対して空転自在で、付勢手段の付勢力に抗してスライダを係合解除位置に拘束するとともに、適宜の回転位置に拘束解除部を備えたストッパリング部材とを有する請求項１記載のサムターン装置。
【発明の詳細な説明】
【技術分野】
【０００１】
本発明は、サムターン装置に関するものである。
【背景技術】
【０００２】
サムターンを使用した錠装置へのアクセスを禁止するモードと、許容するモードを有したサムターン装置としては、特許文献１記載のものが知られている。この従来例において、サムターン装置は、シリンダ錠に連結されるラチェットカム受けと、ラチェットカム受けに回転方向で連結され、錠装置を操作するコマ部材とを有する。一方、サムターンにはスライドカムが、コマ部材（ジョイント）にはクラッチが各々回転方向に連結される。
【０００３】
シリンダ錠を回転操作すると、スライドカムが駆動され、クラッチとの断接動作が行われる。この結果、クラッチの状態により２種類のモードが設定可能であり、クラッチが”断”のモードにおいては、サムターンに回転操作を加えてもコマ部材を動作させることができない。
【特許文献１】特開２００３-２１３９７５号公報
【発明の開示】
【発明が解決しようとする課題】
【０００４】
しかし、上述した従来例において、モード変更のためにシリンダ錠を操作すると、ジョイントも動作してしまうために、操作が紛らわしく、利用者に混乱を与えてしまうという問題がある。
【０００５】
本発明は、以上の欠点を解消すべくなされたものであって、モード変更を円滑に行うことができるサムターン装置の提供を目的とする。
【課題を解決するための手段】
【０００６】
本発明において上記目的は、
室内側に露出され、ハウジング１に対して回転操作自在な回転操作体２への操作により扉用錠装置の施解錠操作を行うサムターン装置であって、
回転操作体２と錠装置に連結されるジョイント３との間に介装され、回転操作体２への回転操作力のジョイント３への伝達を断接するクラッチ部４と、
操作時において前記ジョイント３とは独立して駆動され、クラッチ部４を断接状態に移動、保持するモード選択部とを有するサムターン装置を提供することにより達成される。
【０００７】
回転操作体２と錠装置へのジョイント３との間には、クラッチ部４が介装され、クラッチ部４の”断”状態が、回転操作体２に操作力を与えても錠装置を操作できないセキュリティモード、クラッチ部４の”接”状態が、錠装置への操作が可能なセキュリティ解除モードに対応する。
【０００８】
クラッチを断接するためのモード選択部が操作時においてジョイント３とは独立して駆動する本発明において、モード変更操作時に不用意に錠装置が動作することがないために、使い勝手が向上する。
【発明の効果】
【０００９】
本発明によれば、セキュリティモードと、セキュリティ解除モード間の変更操作に際し、錠装置が駆動されないために、モード変更を円滑に行うことができる。
【発明を実施するための最良の形態】
【００１０】
図１に本発明の実施の形態を示す。図において１はハウジング、２はハウジング１の先端に装着される回転操作体、３はハウジング１後端に配置され、ハウジング１に対して空転自在なジョイントである。ジョイント３は、本サムターン装置を扉に固定した状態で錠装置のデッドボルト操作部に回転方向で連結され、錠装置を施解錠操作する。また、回転操作体２は、回転操作がしやすいように、外周壁に複数の窪み２ａ、２ａ・・を備えた筒状体で、ハウジング１に対して空転自在で、かつ脱離不能に連結される。
【００１１】
１５は回転操作体２の中空部に固定されて回転操作体２と共に回転する筒状の被係合部形成部材であり、図２（ｃ）に示すように、後端にフランジ部１５ａを備える。１５ｂはフランジ部１５ａに装着されるクリックボールであり、圧縮スプリング１５ｃにより後方への飛び出し位置に付勢される。このフランジ部１５ａに対峙するハウジング１前端には、クリックボール１５ｂが落ち込むクリック凹部１ａが所定ピッチ角で形成されており、回転操作体２は、所定回転姿勢で節度停止する。
【００１２】
７は被係合部であり、回転操作体２の回転中心を中心とする同一円周上に、所定ピッチ角で複数（図２においては８個）配置される。この実施の形態において、被係合部７は、後述する係合部５が突出部として形成されるのに対応して凹部として形成されているが、係合部５が凹部として形成される場合には、突出部として形成される。
【００１３】
１６は上記被係合部形成部材１５を空転自在に保持するインナーハウジングであり、上記ハウジング１に一体に連結される。筒状に形成されるインナーハウジング１６には、プラグ８ａを回転操作可能に挿入したシリンダ錠８が挿入、固定される。
【００１４】
プラグ８ａの終端には円筒状のカム駆動部８ｂが形成され、該カム駆動部８ｂに筒状のカム体１７が空転、および軸方向移動自在に外嵌される。カム体１７には、図２（ａ）に示すように、カム長孔１７ａが開設されており、カム駆動部８ｂから突出するピン状のカム連結部８ｃが挿入する。なお、図２（ａ）においては、カム体１７を筒状に形成し、カム駆動部８ｂを外嵌する場合を示したが、カム駆動部８ｂを筒状に形成し、カム体１７を外嵌するように構成することもできる。また、カム長孔１７ａとカム連結部８ｃとの関係も逆転可能である。
【００１５】
６は上記カム体１７に外嵌されるスライダであり、ハウジング１に対して空転、かつ、軸方向移動自在に装着される。また、カム体１７はスライダ６に対して空転自在で、かつ、スライド方向に連結される。さらに、このスライダ６の後端には、ジョイント３が空転不能、かつ、スライド方向に相対移動自在に連結される。
【００１６】
図１（ｂ）に示すように、上記スライダ６の前端部には係合部５が形成される。係合部５は被係合部形成部材１５のフランジ部１５ａに対峙して配置され、上記クリックボール１５ｂがクリック凹部１ａに落ち込む回転操作体２の回転位置において被係合部７に正対する。
【００１７】
したがってこの実施の形態において、図１（ｂ）に示すように、クラッチ部４を構成するスライダ６の係合部５と被係合部７とが係合し、”接”状態にあるときがセキュリティ解除モードに対応し、この状態では、回転操作体２への操作力はジョイント３に伝達されるために、錠装置の操作が可能である。
【００１８】
これに対し、プラグ８ａに真正な解錠キーを挿入してプラグ８ａをセキュリティモード投入方向に回転させると、カム体１７はカム連結部８ｃにより後方に押し出される。これに伴ってスライダ６も後方に移動し、係合部５と被係合部７との係合が解除され、クラッチ部４が”断”状態に遷移する。この状態がセキュリティモードに対応し、この状態では、回転操作体２に回転操作力を与えてもジョイント３に操作力が伝達されることはなく、錠装置の施解錠も行われない。
【００１９】
また、シリンダ錠８への操作に際して、ジョイント３は駆動されることはないために、モード変更操作時に過って錠装置の施解錠操作がなされることもない。
図３に本発明の第２の実施の形態を示す。なお、以下の実施の形態の説明において、上述した実施の形態と実質的に同一の構成要素は、図中に同一符号を付して説明を省略する。
【００２０】
以下に示す実施の形態は、主としてモード選択部の変形を示すもので、被係合部形成部材１５内には、ボタン保持体１８がハウジング１に対して相対変位不能に装着され、ボタン保持体１８に対して空転、スライド自在にノブ９が配置される。ボタン保持体１８とノブ９との間には、圧縮スプリング１８ａが介装され、ノブ９を没入方向に付勢する。また、図４（ａ）に示すように、ボタン保持体１８には、クランク形状のカム長孔１７ａが開設されるとともに、ノブ９側にはピン状のガイド部１０が突設されてカム長孔１７ａに挿入される。
【００２１】
前端部に係合部５を備えるスライダ６は、ノブ９に対して空転自在、かつ、スライド方向に連結されるとともに、ハウジング１に対してスライド、空転自在に保持される。さらに、スライダ６に対してジョイント３はスライド自在、かつ回転方向に連結される。
【００２２】
したがってこの実施の形態において、図３（ｂ）に示すように、クラッチ部４が”接”状態、すなわち、セキュリティ解除モードにあるときには、回転操作部への回転操作力は、スライダ６を介してジョイント３に伝達される。クラッチ”接”状態が確実に維持されるように、カム長孔１７ａには、ピン落とし込み部１７ｂが延設され、ガイド部１０の不用意な移動が規制される。
【００２３】
これに対し、ノブ９を一旦圧縮スプリング１８ａの付勢力に抗して引き出してピン落とし込み部１７ｂから脱離させてノブ９を回転させると、ガイド部１０は他方のピン落とし込み部１７ｂに落ち込み、同時にスライダ６が後方に押し出されてクラッチ部４が”断”状態、すなわち、セキュリティモードに移行する。
【００２４】
なお、図３において、セキュリティモードの解除はノブ９を圧縮スプリングの付勢力に抗して引っ張りながら回転させるように構成されたが、図５に示すように、モード変更をノブ９の押し回しによるように構成することができる。
【００２５】
図５において、ノブ９は圧縮スプリング１９によりハウジング１から飛び出す方向に付勢されており、図５（ｂ）に示す飛び出し姿勢がセキュリティモードに対応する。この状態からセキュリティモードを解除するには、一旦ノブ９を押し込んでピン落とし込み部１７ｂから脱離させて、ノブ９を回転させ、さらに、反対端のピン落とし込み部１７ｂにガイド部１０を嵌合させればよい。
【００２６】
図６に本発明の第３の実施の形態を示す。この実施の形態において、前端部に係合部５を備えるスライダ６は、ジョイント３に対してスライド自在、かつ空転不能に連結され、ジョイント３との間に介装される圧縮スプリング（付勢手段１２）により係合部５の被係合部７との係合方向、すなわち、クラッチ部４の”接”方向に付勢される。
【００２７】
このスライダ６には、２本のロックシャフト２０が装着される。ロックシャフト２０は、図６（ｄ）、（ｅ）に示すように、円柱体の一面を削って平面部２０ａを形成した形状を有しており、スライダ６外周に形成された嵌合溝６ａに嵌合、保持され、スライダ６と一体となって動作する。また、ロックシャフト２０には、適宜箇所、正確には、後述するストッパリング部材１４と、施錠リング部材２１とに合致する位置に切欠２０ｂが形成される。
【００２８】
さらに、スライダ６には、２個のストッパリング部材１４が空転自在で、かつ、スライド方向の移動を規制されて外嵌される。図６（ｂ）に示すように、ストッパリング部材１４にはリターンスプリング１４ａが巻装され、回転操作後も所定回転位置に復帰する。また、ストッパリング部材１４の内周壁には、所定ピッチ角で上記ロックシャフト２０の上半円断面形状部２０ｃが挿通可能な凹部１４ｂが形成され、対向２箇所の凹部１４ｂが表裏に貫通した半月孔（拘束解除部１３）とされている。
【００２９】
したがってこの実施の形態において、図６（ａ）に示すセキュリティモードでは、ストッパリング部材１４は、凹部１４ｂの残肉部１４ｃがロックシャフト２０の切欠２０ｂに嵌合し、前方への移動が規制されているために、”接”方向への付勢力に抗して”断”状態が維持される。
【００３０】
これに対し、ストッパリング部材１４を所定角度回転させ、半月孔１３にロックシャフト２０が合致すると、支えを失ったロックシャフト２０は圧縮スプリング１２の復元力により前方に移動し、結果、スライダ６の係合部５が被係合部７に係合してクラッチ部４が”接”状態に移行する。
【００３１】
さらにスライダ６が外嵌され、ハウジング１に対して相対変位不能なボタン保持体１８には、杆状のボタン２２がスライド自在に挿入される。このボタン２２は、スライダ６に対してスライド方向に連結されており、ボタン保持体１８との間に介装される圧縮スプリング２２ａにより飛び出し方向に付勢される。
【００３２】
したがって、上述したように、クラッチ部４が”接”状態になった後、ボタン２２を押し込んで、ロックシャフト２０の切欠２０ｂとストッパリング部材１４の残肉部１４ｃに合致させると、ストッパリング部材１４はリターンスプリング１４ａの復元力により原位置に復帰する。ストッパリング部材１４の初期回転位置においては、半月孔１３とロックシャフト２０とは合致しないために、切欠２０ｂ内に残肉部１４ｃが嵌合した状態が保持される。
【００３３】
また、上記ストッパリング部材１４の後方には、さらに施錠リング部材２１がスライダ６に対して空転自在で、かつ、スライド方向の移動が規制されて装着される。施錠リング部材２１は、図６（ｃ）に示すように、外周部にナンバリング用の表示平面２１ａが形成されたリング体であり、スライダ６外周から飛び出し方向に付勢されるクリック突部２１ｂにより所定回転角において節度停止するように構成される。
【００３４】
また、施錠リング部材２１は、上述したストッパリング部材１４と同様に、凹部１４ｂと、半月孔１３を備える。この実施の形態において、施錠リング部材２１は、一本のロックシャフト２０の移動を規制するように、１個の半月孔１３を有する。
【００３５】
したがってこの実施の形態において、施錠リング部材２１の半月孔１３がロックシャフト２０に合致しない限り、ストッパリング部材１４を回転操作してもセキュリティ解除モードに変更することができない。
【図面の簡単な説明】
【００３６】
【図１】本発明を示す図で、（ａ）は正面図、（ｂ）は（ａ）の１Ａ-１Ａ線断面図である。
【図２】図１の要部を示す図で、（ａ）はカム長孔を示す図、（ｂ）は（ｃ）の２Ｂ方向矢視図、（ｃ）は被係合部形成部材の半断面図である。
【図３】本発明の第２の実施の形態を示す図で、（ａ）は正面図、（ｂ）は（ａ）の３Ｂ-３Ｂ線断面図である。
【図４】図３の要部を示す図で、（ａ）はカム長孔を示す図、（ｂ）は被係合部形成部材の正面図である。
【図５】図４の変形例を示す図で、（ａ）は正面図、（ｂ）は（ａ）の５Ｂ-５Ｂ線断面図である。
【図６】本発明の第３の実施の形態を示す図で、（ａ）は縦断面図、（ｂ）は（ａ）の６Ｂ-６Ｂ線断面図、（ｃ）は（ａ）の６Ｃ-６Ｃ線断面図、（ｄ）はロックシャフトの側面図、（ｅ）は（ｄ）の６Ｅ-６Ｅ線断面図である。
【符号の説明】
【００３７】
１        ハウジング
２        回転操作体
３        ジョイント
４        クラッチ部
５        係合部
６        スライダ
７        被係合部
８        シリンダ錠
９        ノブ
１０      ガイド部
１１      カム部
１２      付勢手段
１３      拘束解除部
１４      ストッパリング部材
【図１】
2005314968.tif 000003
【図２】
2005314968.tif 000004
【図３】
2005314968.tif 000005
【図４】
2005314968.tif 000006
【図５】
2005314968.tif 000007
【図６】
2005314968.tif 000008